(57)【要約】【課題】  過去に設定した内容を簡単に再設定することができる画像形成装置を提供すること。【解決手段】  利用者を特定する利用者ＩＤを入力する操作表示部３６と、入力された利用者ＩＤに対応付けて、動作設定を時系列に複数記憶するＲＡＭ３３を有する。また、操作表示部３６は、ＲＡＭ３３が記憶する動作設定のうち、入力された利用者ＩＤに対応する動作設定を時系列に複数表示し、この中からの動作設定を選択せしめる。また、操作表示部３６により選択された設定に基づいて動作をするＣＰＵ３１を有する。【選択図】  図２
2005234315.tif 000002
【特許請求の範囲】
【請求項１】
利用者を特定する利用者ＩＤを入力するＩＤ入力手段と、
前記ＩＤ入力手段により入力された利用者ＩＤに対応付けて、動作設定を時系列に複数記憶する設定記憶手段と、
前記設定記憶手段が記憶する動作設定のうち、前記ＩＤ入力手段により入力された利用者ＩＤに対応する動作設定を時系列に複数表示する設定表示手段と、
前記設定表示手段が表示する動作設定から一の動作設定を選択する設定選択手段と、
前記設定選択手段により選択された設定に基づいて動作をする実行手段とを備えたことを特徴とする画像形成装置。
【請求項２】
前記設定記憶手段が記憶する動作設定の数を設定する記憶数設定手段を備えたことを特徴とする請求項１に記載の画像形成装置。
【請求項３】
前記設定選択手段は、前記設定表示手段が表示する動作設定から複数の動作設定を選択することを特徴とする請求項１又は２に記載の画像形成装置。
【発明の詳細な説明】
【技術分野】
【０００１】
本発明は、履歴を記憶する画像形成装置に関する。
【背景技術】
【０００２】
従来、この種の画像形成装置では、相手先の通信端末装置に発呼する際、過去にダイヤルしたダイヤル履歴を参照して、このダイヤル履歴から発呼するように構成されたものが知られている（例えば、特許文献１参照）。
【特許文献１】特開２００２−３１４６７０号公報
【発明の開示】
【発明が解決しようとする課題】
【０００３】
しかしながら、従来の画像形成装置では、履歴として記憶するのはダイヤル履歴のみであり、拡大又は縮小率、用紙サイズ等の複雑な設定をしてコピー動作をした後に、設定が解除された状態で再度同じ設定でコピー動作をしたいときは、再び設定をし直す必要があり不便であるという問題があった。
【０００４】
本発明は、このような問題を解決するためになされたもので、過去に設定した内容を簡単に再設定することができる画像形成装置を提供することを目的とする。
【課題を解決するための手段】
【０００５】
本発明の画像形成装置は、利用者を特定する利用者ＩＤをＩＤ入力手段と、前記ＩＤ入力手段により入力された利用者ＩＤに対応付けて、動作設定を時系列に複数記憶する設定記憶手段と、前記設定記憶手段が記憶する動作設定のうち、前記ＩＤ入力手段により入力された利用者ＩＤに対応する動作設定を時系列に複数表示する設定表示手段と、前記設定表示手段が表示する動作設定から一の動作設定を選択する設定選択手段と、前記設定選択手段により選択された設定に基づいて動作をする実行手段とを有するよう構成している。
【０００６】
この構成により、一度設定したコピーモードは、そのコピーモードを設定した利用者の利用者ＩＤとともに記憶され、再度コピーモードを設定する際には記憶されたコピーモードから所望のコピーモードを選択するだけで良いので、複雑なコピーモードのセッティングをその都度行う必要がなくなり利便性が向上する。
【０００７】
また、本発明の画像形成装置は、前記設定記憶手段が記憶する動作設定の数を設定する記憶数設定手段を備えたことを特徴としている。
【０００８】
この構成により、コピーモードを幾つ記憶するかを利用者ＩＤ毎に設定できるので、記憶手段の記憶容量を効率的に配分することができる。
【０００９】
また、本発明の画像形成装置は、前記設定選択手段は、前記設定表示手段が表示する動作設定から複数の動作設定を選択することを特徴としている。
【００１０】
この構成により、コピーモードの履歴のリストの中から複数のコピーモードを選択し、１回に読取った原稿に対して複数のコピーモードでコピーを実行することができ、操作の数を減少させ操作性を向上することができる。
【発明の効果】
【００１１】
本発明によれば、過去に設定した内容を簡単に再設定することができる画像形成装置を提供することができる。
【発明を実施するための最良の形態】
【００１２】
以下、本発明の実施の形態の画像形成装置について図面を用いて説明する。
【００１３】
図１、図２は、一実施の形態の画像形成装置の概略構成図及び内部構成図を示す。なお、以下に説明する画像形成装置１００は、コピー機能、プリンタ機能、スキャナー機能、ＦＡＸ機能を備えたものであり、いわゆる複合機と称されるものである。また、コピー機能としては、コピー濃度、拡大又は縮小率、両面又は片面の別等の設定が可能となっている。
【００１４】
図１に示すように、画像形成装置１００は、コンタクトガラス１、原稿サイズセンサ３、露光ランプ４、第１ミラー５、第２ミラー６、第３ミラー７、レンズ８、ＣＣＤイメージセンサ９を備えており、これらによって原稿２を読取るようになっている。
【００１５】
また、画像形成装置１００は、レーザダイオード１０、シリンダレンズ１１、ポリゴンミラー１２、レンズ１３、書込みミラー１４、感光体１５を備えており、読取った原稿２の画像データは感光体１５上に静電潜像として形成されるようになっている。
【００１６】
また、画像形成装置１００は、帯電装置１６、現像装置１７、転写ベルト１８、クリーニング装置１９、給紙トレイ２０、転写紙２１、レジストローラ２２、定着装置２３、排紙センサ２４を備えている。
【００１７】
画像形成装置１００において、コンタクトガラス１上に置かれた原稿２は、原稿サイズセンサ３によりその有無とサイズが検知される。また、図示しないコピースタートキーが押下されると、露光ランプ４が原稿２を露光し、原稿２からの反射光は第１ミラー５、第２ミラー６、第３ミラー７に反射され、レンズ８に屈折されてＣＣＤイメージセンサ９で読取られた後、電気信号に変換され、図２に示す画像処理部３９で画像処理される。なお、画像形成装置１００の上方すなわちコンタクトガラス１の上部に自動原稿給紙装置を設けて、この自動原稿給紙装置に複数の原稿２を積載し、コンタクトガラス１上に１枚づつ給紙するようにしてもよいことは言うまでもない。
【００１８】
次いで、画像処理されたデータに基づいてレーザダイオード１０が制御され、レーザダイオード１０から発射されたレーザ光はシリンダレンズ１１、高速で定速回転するポリゴンミラー１２、レンズ１３、書込みミラー１４等を介して感光体１５に照射され、感光体１５上に画像（静電潜像）が書き込まれる。
【００１９】
感光体１５の周辺には、帯電装置１６、現像装置１７、転写ベルト１８、クリーニング装置１９が設けられている。感光体１５は、クリーニング装置１９によりクリーニングされた後、帯電装置１６により所定の高電位に均一に帯電される。帯電された感光体１５に前述のレーザ光が照射されると、感光体１５上の表面電位は照射された光強度に応じて変化し、静電潜像が形成される。この静電潜像に現像装置１７によってトナーが吸着されることで可視化されたトナー画像となる。
【００２０】
一方、給紙トレイ２０に積載された転写紙２１が１枚づつ給紙され、レジストローラ２２が転写紙２１を感光体１５上のトナー画像と重なるように送り込む。更に、転写紙２１は、高電位をかけられた転写ベルト１８により搬送され、転写ベルト１８と感光体１５との接触部でトナー画像が転写紙２１に転写される。
【００２１】
トナー画像が転写された転写紙２１は更に転写ベルト１８で搬送され、ハロゲンヒータにより温められた定着装置２３に送り込まれトナー画像の定着が行われる。定着が終了した転写紙２１は、排紙センサ２４により画像形成装置１００外部に排紙されたことが検知される。
【００２２】
また、図２に示すように、画像形成装置１００は、ＣＰＵ３１と、ＲＯＭ３２と、ＲＡＭ３３と、書込み制御部３４と、書込み部３５と、操作表示部３６と、搬送制御部３７と、原稿読取り部３８と、画像処理部３９と、画像編集部４０と、画像メモリ４１と、ＮＶＲＡＭ４２とを含んで構成される。また、これらはシステムバス３０により接続されている。
【００２３】
ＣＰＵ３１は、画像形成装置１００全体の制御を行うものである。具体的には、ＣＰＵ３１は、画像形成装置１００がコピー動作をする際には、操作表示部３６から入力された各種の設定（本実施形態では「コピーモード」ともいう）すなわち原稿サイズ、転写紙サイズ、編集、集約、両面又は片面の別、コピー濃度、ソート等の設定に基づいて、図示しないスタートボタンが押されたことを検知して、原稿の読取り、画像処理、画像蓄積、画像編集、書込み制御、転写紙の搬送等を制御する。
【００２４】
また、ＣＰＵ３１は、操作表示部３６から利用者ＩＤの入力を受け付けるよう制御したり、入力された利用者ＩＤをＲＡＭ３３に記憶させるよう制御するようになっている。また、コピーモードの履歴を利用者ＩＤと対応付けてＲＡＭ３３に記憶させたり、操作表示部３６から入力された利用者ＩＤに対応するコピーモード履歴を操作表示部３６に表示させ、利用者から所望のコピーモードの選択を受け付けるようになっている。さらに、ＣＰＵ３１は、操作表示部３６で選択されたコピーモードに基づいてコピー動作を実行させるようになっている。
【００２５】
ＲＯＭ３２は、ＣＰＵ３１が画像形成装置１００の制御をするためのプログラム及び固定データを記憶するものである。
【００２６】
ＲＡＭ３３は、ＲＯＭ３２が記憶するプログラムをＣＰＵ３１が実行する際の作業領域である。また、ＲＡＭ３３は、操作表示部３６から入力された利用者ＩＤや過去に設定されたコピーモードの履歴を時系列に記憶するようになっている。
【００２７】
書込み制御部３４は、ＣＰＵ３１からの制御により、画像書込みをする際にレーザダイオードの出力制御等を行うものである。
【００２８】
書込み部３５は、画像書込みをする際のポリゴンミラー１２、図示しないポリゴンモータ、及び感光体１５の駆動制御をするものである。
【００２９】
操作表示部３６は、数値等を入力する図示しないテンキー、コピー動作等を開始するためのスタートキー等の各種キーや、画像形成装置１００の状態や動作設定を表示するタッチパネル式液晶表示装置から構成され、画像形成装置１００がコピー動作等の各種動作をする際の指示や設定（コピーモード）の入力及び表示をするものである。具体的には、コピー動作のための指示及び設定（コピー）の入力、利用者を特定するための利用者ＩＤの入力、コピーモード履歴の時系列表示、表示したコピーモード履歴から今回実行するコピーモードの選択操作をするようになっている。また、操作表示部３６は、利用者ＩＤの登録のための入力、利用者ＩＤ毎にＲＡＭ３３が記憶するコピーモード履歴の数の設定をするものである。なお、コピーモード履歴の時系列表示は日時の新しい順に限らず、古い順に表示してもよい。
【００３０】
搬送制御部３７は、転写紙２１の給紙又は搬送のための図示しない各種モータ及び各種機構部等を制御するものである。
【００３１】
原稿読取り部３８は原稿２を読取るものであり、コンタクトガラス１、原稿サイズセンサ３、露光ランプ４、第１ミラー５、第２ミラー６、第３ミラー７、レンズ８、ＣＣＤイメージセンサ９を含んで構成される。
【００３２】
画像処理部３９は、原稿読取り部３８により読取られデジタルデータに変換された画像データに対して画質向上等の画像処理をするものである。
【００３３】
画像編集部４０は、画像形成装置１００がコピー動作をする際に、画像データに対して変倍、集約、リピート等の画像編集を実行するものである。
【００３４】
画像メモリ４１は、原稿読取り部３８が読取った画像データを一時的に格納するたものものである。
【００３５】
ＮＶＲＡＭ４２は、不揮発性のメモリであり、画像形成装置１００に固有のプロセス条件のデータを記憶するものである。また、ＮＶＲＡＭ４２は、ＲＡＭ３３が記憶する利用者ＩＤ、コピーモード履歴等を画像形成装置１００の主電源がオフの時に保持するようになっている。
【００３６】
次に、図３、図４を参照して画像形成装置１００の動作について説明する。
【００３７】
まず、図３において、今回実行するコピーモードを操作表示部３６から入力する（ステップ「以下、単にＳと表す」１１）。ここでは、給紙トレイ、コピー濃度、編集、集約、両面又は片面の選択、ソート、スタック、ステープル、変倍、分割、その他の設定を行う。
【００３８】
次いで、原稿を原稿読取り部３８にセットする（Ｓ１２）。すなわち、原稿２をコンタクトガラス１に載置する。次いで、コピー部数を操作表示部３６から入力してセットし、図示しないスタートボタンを押す（Ｓ１３）。スタートボタンが押されると、ＣＰＵ３１は、Ｓ１１でセットされた設定（コピーモード）に従ってコピー動作を実行する。
【００３９】
次いで、ＣＰＵ３１は、コピーが終了したか否かを判定し（Ｓ１４）、終了したと判定した場合は、Ｓ１１でセットした今回のコピーモードを記憶するか否かを判定する（Ｓ１５）。Ｓ１５の判定は、操作表示部３６から今回のコピーモードを記憶する旨の指示が入力されたか否かによって行われる。
【００４０】
Ｓ１５においてコピーモードを記憶すると判定された場合は、操作表示部３６から利用者ＩＤの入力を受け付ける（Ｓ１６）。具体的には、ＣＰＵ３１は、操作表示部３６に利用者ＩＤの入力を促すメッセージを表示して、利用者ＩＤの入力を受け付ける。
【００４１】
次いで、Ｓ１１でセットされたコピーモードを、Ｓ１６で入力された利用者ＩＤに対応付けてＲＡＭ３３に記憶する（Ｓ１７）。
【００４２】
一方、図４において、ＣＰＵ３１は、操作表示部３６から利用者ＩＤが入力されたか否かを判別する（Ｓ２１）。この判別が“ＮＯ”の場合は図３で説明したＳ１１に移行し、“ＹＥＳ”の場合は、入力された利用者ＩＤに対応するコピーモード履歴を操作表示部３６に表示する（Ｓ２２）。
【００４３】
次いで、Ｓ２２で操作表示部３６に表示されたコピーモード履歴の中から今回実行するコピーモードを利用者に選択させるメッセージを表示して利用者に入力させる（Ｓ２３）。なお、ここでは、コピー部数の入力も行わせる。
【００４４】
次いで、Ｓ２３で選択されたコピーモード及びコピー部数をジョブとして登録する（Ｓ２４）。
【００４５】
コピーモードの選択が終了したか否かを判別して（Ｓ２５）、この判別が“ＮＯ”であればＳ２３に戻り、判別が“ＹＥＳ”であれば、コピースタートボタンが押されたか否かを判別する（Ｓ２６）。コピースタートボタンが押されるまで待機して、コピースタートボタンが押された場合は、Ｓ２３で選択されたコピーモード及びコピー部数でコピー動作を実行する（Ｓ２７）。
【００４６】
なお、Ｓ２３で選択するコピーモードは１つのみに限らず、複数であってもよい。複数のコピーモードを選択するようにした場合は、選択した各コピーモードに応じたコピー動作を行い、コピーモード毎の出力を得るようになっている。
【００４７】
このように本実施形態では、過去に実行したコピーモードの履歴を新しいものから順にリスト表示し、この中から所望のコピーモードを選択するようになっている。このため、複雑なコピーモードのセッティングをその都度行う必要がなくなり利便性が向上する。
【００４８】
また、コピーモードの履歴は利用者ＩＤに関連付けて記憶するようになっているので、利用者毎に記憶されたコピーモードを利用者ＩＤの入力により新しい順にリスト表示でき、コピーモードのセッティングを敏速に行うことができる。
【００４９】
また、コピーモードの履歴を過去に遡って幾つまで記憶するかを利用者ＩＤ毎に設定できるので、記憶手段の記憶容量を効率的に配分することができる。
【００５０】
また、コピーモードの履歴のリストの中から複数のコピーモードを選択できるようになっているので、１回に読取った原稿に対するコピー動作を、複数のコピーモードで実行することができ、操作の数を減少させ操作性を向上することができる。
【産業上の利用可能性】
【００５１】
以上のように、本発明に係る画像形成装置は、過去に設定した内容を簡単に再設定できるという効果を有し、コピー機能、ファックス機能、プリンタ機能等を備えた画像形成装置として有用である。
【図面の簡単な説明】
【００５２】
【図１】本発明の一実施の形態に係る画像形成装置の概略構成図
【図２】一実施の形態の画像形成装置の内部構成図
【図３】一実施の形態の画像形成装置のフロー図
【図４】一実施の形態の画像形成装置のフロー図
【符号の説明】
【００５３】
１  コンタクトガラス
２  原稿
３  原稿サイズセンサ
４  露光ランプ
５  第１ミラー
６  第２ミラー
７  第３ミラー
８  レンズ
９  ＣＣＤイメージセンサ
１０  レーザダイオード
１１  シリンダレンズ
１２  ポリゴンミラー
１３  レンズ
１４  書込みミラー
１５  感光体
１６  帯電装置
１７  現像装置
１８  転写ベルト
１９  クリーニング装置
２０  給紙トレイ
２１  転写紙
２２  レジストローラ
２３  定着装置
２４  排紙センサ
３１  ＣＰＵ（実行手段）
３２  ＲＯＭ
３３  ＲＡＭ（設定記憶手段）
３４  書込み制御部
３５  書込み部
３６  操作表示部（ＩＤ入力手段、設定表示手段、設定選択手段、記憶数設定手段）
３７  搬送制御部
３８  原稿読取り部
３９  画像処理部
４０  画像編集部
４１  画像メモリ
４２  ＮＶＲＡＭ（設定記憶手段）
１００  画像形成装置
【図１】
2005234315.tif 000003
【図２】
2005234315.tif 000004
【図３】
2005234315.tif 000005
【図４】
2005234315.tif 000006